(57)【要約】      （修正有）【課題】機構が簡単で、それに取扱いも便利な三脚台のスリーブの収容、展開装置を提供する。【解決手段】一つのスリーブ１０と、対称的に設置されたボールストッパの左半分及びボールストッパの右半分を備え、前記ボールストッパの左半分及び右半分の側壁に一つの支軸がそれぞれ凸設され、スリーブを抱込み緊締する一つのボールストッパと、内部に前記ボールストッパを収容する一つのチャンバーを有し、前記ボールストッパを軸支し、その側面に前記スリーブが通過される一つの切り口が設けられ、三脚台のスタンドを軸支する一つのキャップ組立部材３０と、該キャップ組立部材に挿しこんで設置され、キャップ組立部材内部に挿入されたその端部が前記ボールストッパに当接する一つの蝶形ネジ４０とを備える。【選択図】図１
0003166987.tif 000002
【実用新案登録請求の範囲】
【請求項１】
一つのスリーブと、
対称的に設置されたボールストッパの左半分及びボールストッパの右半分を備え、前記ボールストッパの左半分及び右半分の側壁に一つの支軸がそれぞれ凸設され、前記スリーブを抱込み緊締する一つのボールストッパと、
内部に前記ボールストッパを収容する一つのチャンバーを有し、前記ボールストッパを軸支し、その側面に前記スリーブが通過される一つの切り口が設けられ、三脚台のスタンドを軸支する一つのキャップ組立部材と、
前記キャップ組立部材に挿しこんで設置され、キャップ組立部材内部に挿入されたその端部が前記ボールストッパに当接する一つの蝶形ネジと、を備えることを特徴とする三脚台のスリーブの収容、展開装置。
【請求項２】
前記キャップ組立部材が互いに接合する上キャップ組立部材と下キャップ組立部材からなり、上、下キャップ組立部材が接合してディスク形の構成となり、前記下キャップ組立部材の外側に複数の方向で二つの軸支部が延出し、前記スタンドの端部に前記軸支部と互いに係合する凸部が設けられ、前記凸部がピントルにより二つの軸支部の中間に回動可能に軸支されていることを特徴とする請求項1記載の三脚台のスリーブの収容、展開装置。
【請求項３】
前記スリーブの収容、展開装置にはまた、前記スリーブの内部に係止される一つのＵ形スプリングを有し、このＵ形スプリングの縦断面がＵ形構成で、前記Ｕ形スプリングの両端とも前記スリーブの内壁に当接し、更に、Ｕ形スプリングの一端の側壁にスリーブから露出される一つの凸部が設け、当該凸部と対向する前記スリーブに一つの取り付け孔が設置され、スリーブから露出した凸部部分の高さがスリーブとキャップ組立部材との距離より大きいことを特徴とする請求項1記載の三脚台のスリーブの収容、展開装置。
【請求項４】
前記スリーブの端部にストッパが設けられることを特徴とする請求項1記載の三脚台のスリーブの収容、展開装置。
【考案の詳細な説明】
【技術分野】
【０００１】
本考案は、スタンドに関し、特に撮影用の三脚台のスリーブの収容、展開装置に関する。
【背景技術】
【０００２】
撮影に際し、使用される仕様及び装備が許される状況において、撮影師や専門ファンにとっては、用いるスタンドが短ければ短いほど、軽ければ軽いほど良いということは最も真実、ひいては現実的な思いになっている。しかし、従来の製品はスリーブを傾倒して最少収容高さに機能している製品とはいっても、実は三つのスタンドを傾倒したことにすぎず、文字どおりのスリーブの傾倒ではなかった。それゆえ、収容（展開）に際し、三つのスタンドに対し同じ作業を６回ほど繰り返さなければならず、作業時間が長くなり、時間を無駄にする問題があった。
【先行技術文献】
【特許文献】
【０００３】
【特許文献１】特開２００４−１１８１６３号公報
【考案の概要】
【考案が解決しようとする課題】
【０００４】
本考案の目的は、従来の技術における問題点を解決し、機構が簡単で、それに取扱も便利な三脚台のスリーブの収容、展開装置を提供する。
【課題を解決するための手段】
【０００５】
本考案は、一つのスリーブと、対称的に設置されたボールストッパの左半分及びボールストッパの右半分を備え、前記ボールストッパの左半分及び右半分の側壁に一つの支軸がそれぞれ凸設され、前記スリーブを抱込み緊締する一つのボールストッパと、内部に前記ボールストッパを収容する一つのチャンバーを有し、前記ボールストッパを軸支し、その側面に前記スリーブが通過される一つの切り口が設けられ、三脚台のスタンドを軸支する一つのキャップ組立部材と、前記キャップ組立部材に挿しこんで設置され、キャップ組立部材内部に挿入されたその端部が前記ボールストッパに当接する一つの蝶形ネジと、を備えることを特徴とする三脚台のスリーブの収容、展開装置。
【０００６】
前記キャップ組立部材が互いに接合する上キャップ組立部材と下キャップ組立部材からなり、上、下キャップ組立部材が接合してディスク形の構成となり、前記下キャップ組立部材の外側に複数の方向で二つの軸支部が延出し、前記スタンドの端部に前記軸支部と互いに係合する凸部が設けられ、前記凸部がピントルにより二つの軸支部の中間に回動可能に軸支されている。
【０００７】
前記スリーブの収容、展開装置にはまた、前記スリーブの内部に係止される一つのＵ形スプリングを有し、このＵ形スプリングの縦断面がＵ形構成で、前記Ｕ形スプリングの両端とも前記スリーブの内壁に当接し、更に、Ｕ形スプリングの一端の側壁にスリーブから露出される一つの凸部が設け、当該凸部と対向する前記スリーブに一つの取り付け孔が設置され、スリーブから露出した凸部部分の高さがスリーブとキャップ組立部材との距離より大きい。
【０００８】
前記スリーブの端部に、ボールストッパを抜け止めするストッパが設けられている。
【考案の効果】
【０００９】
本考案の三脚台のスリーブの収容、展開装置は、機構が簡単で、それに取扱いも便利なものであり、三脚台の非使用時の占めるスペースが減少でき、保管しやすいという効果がある。
【図面の簡単な説明】
【００１０】
【図１】図１は、本考案の三脚台のスリーブの収容、展開装置の構成を示す図である。
【図２】図２は、本考案の三脚台のスリーブの収容、展開装置の組み立て図である。
【図３】図３は、本考案の三脚台のスリーブの収容、展開装置の断面図である。
【図４】図４は、本考案の三脚台のスリーブの収容、展開装置の構成の上面図である。
【図５】図５は、スリーブの傾倒の過程を示す構成図である。
【図６】図６は、スリーブの傾倒される状態を示す構成図である
【考案を実施するための形態】
【００１１】
次に図面を用いて本考案の実施形態について更なる説明をする。図１、図２、図４及び図５が示すように、本実施形態の三脚台のスリーブの収容、展開装置は、スリーブ１０、ボールストッパ２０、キャップ組立部材３０、蝶形ネジ４０、Ｕ形スプリング５０及びストッパ６０を備えている。
【００１２】
前記ボールストッパ２０は、スリーブを外側より抱込み緊締するのに用いられるもので、対称的に設置されたボールストッパの左半分２１及びボールストッパの右半分２２を備え、前記ボールストッパの左半分、右半分の側壁に支軸２３がそれぞれ凸設され、前記ボールストッパの左半分及びボールストッパの右半分が互いに独立で設置された機構である。
【００１３】
図２及び図４に示すように、前記キャップ組立部材３０が互いに接合する上キャップ組立部材３１と下キャップ組立部材３２とからなり、上下キャップ組立部材の脱離を防ぐために、上、下キャップ組立部材３１、３２を接合してディスク形構成となる。上、下キャップ組立部材３１、３２が接合の後でそのなかにボールストッパ２０を収容するチャンバー３４を有し、前記ボールストッパ２０が支軸２３を軸にして上下方向で１８０°回転でき、前記チャンバーの内壁に前記支軸２３と合わせる支軸収容孔が上、下キャップ組立部材３１、３２を組み合わせることで構成される。また、前記チャンバーの側面に外側に連通する一つの切り口３５が設けられ、当該切り口３５をスリーブ１０が通過することができる。前記下キャップ組立部材３２の外側に三つの方向でともに二つの軸支部３６が延出し、前記スタンドの端部に前記軸支部と互いに係合する凸部３７が設けられ、前記凸部３７がピントルにより二つの軸支部３６の中間に回動可能に軸支されている。
【００１４】
前記蝶形ネジ４０が前記キャップ組立部材３０に挿設され、そして、キャップ組立部材３０内部に差し込んだ蝶形ネジ４０の端部と前記ボールストッパ２０とを当接させる。
【００１５】
図３に示すように、前記Ｕ形スプリング５０は、前記スリーブ１０内に係止され、前記スリーブ１０の下端に位置され、Ｕ形スプリングの縦断面がＵ形構成で、前記Ｕ形スプリング５０の両端ともが前記スリーブ１０の内壁に当接する。更に、Ｕ形スプリング５０の一端の側壁にスリーブ１０から露出される一つの凸部５１が設けられ、当該凸部と対向する前記スリーブに一つの取り付け孔が設置され（図示せず）、スリーブから露出した凸部部分の高さがスリーブとキャップ組立部材との距離より大きい。前記スリーブの端部にストッパ６０が設けられている。
【００１６】
本考案の組立方法は、ボールストッパの左半分、右半分を用いてスリーブの外壁を抱込み、ボールストッパの左半分及びボールストッパの右半分における支軸をキャップ組立部材内部の支軸収容孔に取り付け、ボルトで上下キャップ組立部材を連結し、最後に蝶形ネジを締めてボールストッパによりスリーブを抱込み緊締し、スリーブとボールストッパとの配合を固定させる。
【００１７】
本考案の使用方法は下記の通りである。
１．収容作業（図６を参照）：蝶形ネジを外して、Ｕ形スプリングの凸部の上部が下キャップ組立部材の下縁に当接するまでスリーブを上へ伸ばし、スリーブを引き続き上昇させるために凸部を押して、スリーブのストッパがキャップ組立部材のチャンバーに入ると、スリーブはボールストッパにおける支軸を軸にして下へ回して傾倒し、最後に傾倒したスリーブを締めて固定すればよい。
２．展開作業：蝶形ネジだけを外せば傾倒したスリーブを戻して、再び蝶形ネジを引き締める。
【符号の説明】
【００１８】
１０…スリーブ、  ２０…ボールストッパ、  ２１…ボールストッパの左半分、  ２２…ボールストッパの右半分、  ２３…支軸、３０…キャップ組立部材、  ３１…上キャップ組立部材、  ３２…下キャップ組立部材、  ３４…チャンバー、  ３５…切り口、  ３６…軸支部、  ３７…凸部、  ４０…蝶形ネジ、  ５０…Ｕ形スプリング、  ６０…ストッパ
【図１】
0003166987.tif 000003
【図２】
0003166987.tif 000004
【図３】
0003166987.tif 000005
【図４】
0003166987.tif 000006
【図５】
0003166987.tif 000007
【図６】
0003166987.tif 000008